(57)【特許請求の範囲】
【請求項１】
シートバックの一側面に臨む格納凹部内にアームレストを格納し、前記アームレスト取付用のヒンジブラケットをガーニッシュで被覆する車両用シートにおいて、
前記シートバックの一側面は一枚のトリムカバーで被覆され、該トリムカバーには,前記格納凹部側の細幅部と、その下方の幅広状下部と、前記トリムカバーの細幅部における下部側にトリムカバーを弛ませた弛み部とを設け、この弛み部の前端縁を除く前記細幅部、下部、弛み部を他のトリムカバーに縫着し、前記弛み部内に、前記ガーニッシュの一部を収納すると共にガーニッシュを前記ヒンジブラケットに固定し、且つ該ガーニッシュの周縁には内向きにフランジを設け、該フランジ内に前記弛み部の一部を収納すると共にこのフランジの一端縁に前記トリムカバーの弛み部の一部を挟持する挟持部を設け、前記ガーニッシュの外部に露出する部分に前記挟持部近傍のトリムカバーを加圧する押圧部を一体に設けてなる車両用シートのガーニッシュ取付構造。
【発明の詳細な説明】
【０００１】
【発明の属する技術分野】
本発明は自動車シートなどの車両用シートにおけるガーニッシュ取付構造に関する。
【０００２】
【従来の技術】
従来の自動車用シートには、シートバックの傾動用のリクライニングデバイスを樹脂製のカバー（ガーニッシュ）で被覆し、このカバーをシートバックのトリムカバーで陰蔽したものがある（例えば、実開平５ー６８３９９号公報、実開平５ー７６８６４号公報）。
【０００３】
これらはいずれもシートバックを構成するトリムカバーの下端より、ガーニッシューを被覆する被覆片を延設し、この被覆片にガーニッシュを固定するか、或いは被覆片をガーニッシュの一部が挿入できるように袋状に形成している。
【０００４】
一方、シートバックの着座面にアームレスト格納部を設けてアームレストを格納可能に取付けたシートがあり、このシートのアームレスト格納部はシートバックの一側面に臨む形状になっているものがある。これは、アームレストを支軸で取付けると共にシートバックのフレームに溶接した一方のヒンジブラケットがシートバックの一側面側に位置しており、このヒンジブラケットは樹脂製のガーニッシュで被覆されている。
【０００５】
【発明が解決しようとする課題】
前記リクライニングデバイスの被覆用ガーニッシュをトリムカバーで陰蔽するものは、トリムカバーにガーニッシュ固定用の縫目或いは袋部形成用の縫目が外部から視覚され、シートの外観品質が損なわれる不具合があった。
【０００６】
一方、アームレスト取付用ヒンジブラケットを被覆するガーニッシュはその全体が外部に露出するし、また、このガーニッシュによってシートバックの側部を被覆するトリムカバーの一部が被われる。そのためシートバックの外観品質が損なわれるし、また、ガーニッシュがシートバックの側面における下端より上方に配設されるため、シートバックの前倒時など、シートバックの背裏方向からの衝撃によってガーニッシュが剥離する不具合がある。
【０００７】
そこで、本発明は特にアームレスト取付用のヒンジブラケットを被覆するガーニッシュにおいて、前記従来品の不具合を除去することを目的とする。
【０００８】
【発明が解決しようとする課題】
以上の目的を達成するための本発明は、シートバックの一側面に臨む格納凹部内にアームレストを格納し、前記アームレスト取付用のヒンジブラケットをガーニッシュで被覆する車両用シートにおいて、前記シートバックの一側面は一枚のトリムカバーで被覆され、該トリムカバーには,前記格納凹部側の細幅部と、その下方の幅広状下部と、前記トリムカバーの細幅部における下部側にトリムカバーを弛ませた弛み部とを設け、この弛み部の前端縁を除く前記細幅部、下部、弛み部を他のトリムカバーに縫着し、該弛み部内に、前記ガーニッシュの一部を収納すると共にガーニッシュを前記ヒンジブラケットに固定し、且つ該ガーニッシュの周縁には内向きにフランジを設け、該フランジ内に前記弛み部の一部を収納すると共にこのフランジの一端縁に前記トリムカバーの弛み部の一部を挟持する挟持部を設け、前記ガーニッシュの外部に露出する部分に前記挟持部近傍のトリムカバーを加圧する押圧部を一体に設けてなるものである。
【０００９】
従って、トリムカバーを縫製加工することなくガーニッシュの一部をトリムカバーの弛み部で被覆し、このトリムカバーの弛み部をガーニッシュに設けた挟持部で挟持することにより、トリムカバーの弛み部に皺、弛みが生じない。
【００１０】
また、前記ガーニッシュの外部に露出する部分に前記挟持部近傍のトリムカバーを加圧する押圧部を一体に設けてなることにより、ガーニッシュの挟持部によって挟持された部分のトリムカバーの近傍が、ガーニッシュの押圧部で押圧されるため、皺が発生することがない。
【００１１】
更に、前記取付部材はシートバックに設けるアームレストのヒンジブラケットで、前記トリムカバーの弛み部はシートバックの上下方向における下端より上方に設けてなることにより、ガーニッシュの後部がシートバックの側部を構成するトリムカバーの一部に被覆されるため、ガーニッシュの脱落を防止できる。
【００１２】
【発明の実施の形態】
以下、本発明の実施の一形態を図面に基づいて説明する。
本発明は特に図６に示すように、ガーニッシュ（２）の取付部材を自動車用シートのアームレスト（Ａ）におけるヒンジブラケットとした場合におけるガーニッシュの取付構造を示すものである。
【００１３】
アームレスト（Ａ）はシートバック（ＳＢ）に設けた格納凹部（Ｂ）に格納され、格納凹部（Ｂ）は図示するようにシートバック（ＳＢ）の一側面に臨むように着座部に凹設されている。
【００１４】
そして、シートバック（ＳＢ）の一側面は、一枚のトリムカバー（１）で被覆されている。図６において図中（１１）は格納凹部（Ｂ）側の細幅部、（１１Ａ）はその上部の幅広状の頂部、（１２）は細幅部（１１）の下方に有する下部、（ＳＣ）はシートクッションを各々示す。
【００１５】
以上のガーニッシュ（２）は図１に示すように、後部（２Ｂ）がトリムカバー（１）の細幅部（１１）における下部に設けた弛み部（１０）内に収納され、ガーニッシュ（２）に設けた押圧部（２Ａ）が、前記トリムカバー（１）の下部（１２）を押圧している。
【００１６】
以上のガーニッシュ（２）はヒンジブラケット（３）に係合して固定できるように形成され、そのガーニッシュ（２）に設けた前記押圧部（２Ａ）はヒンジブラケット（３）から突出するように一体成形されている。
【００１７】
ヒンジブラケット（３）は図２に示すように従来と同様にシートバック（ＳＢ）のバックフレーム（４３）に溶接したサイドフレーム（４４）に一体に基部がボルト（４２）（４２）によって締結され、図３に示すように、先端にアームレスト（Ａ）を回動自在に支持する支軸（４１）が取付けられている。
【００１８】
そして、ヒンジブラケット（３）は周端縁にフランジ（３１）が外向きに突設され、このフランジ（３１）の一部を内部に嵌合するようにガーニッシュ（２）の周縁には内向きにフランジ（２１）が形成されている。そして、このフランジ（２１）は前述の如く、押圧部（２Ａ）と後述する挟持部（２１Ａ）がヒンジブラケット（３）より外方に突出するように形成されている。
【００１９】
ガーニッシュ（２）の挟持部（２１Ａ）は、図２に示すように、ヒンジブラケット（３）のフランジ（３１）に対して外方に位置するように配設され、サイドプレート（４４）との間において、トリムカバー（１）の弛み部（１０）における下端部（１０Ａ）を挟持するように構成されている。
【００２０】
トリムカバー（１）は、図４に示すような形状に裁断され、これの弛み部（１０）の前端縁（１０Ｂ）を除く部分がシートバック（ＳＢ）の他のトリムカバー（１３）（１４）…に縫着すると、図５に示すように、前端縁（１０Ｂ）側が開口されている袋状の弛み部（１０）が形成される。
【００２１】
以上の弛み部（１０）の前端縁（１０Ｂ）側が開口されているため、この開口より前記ヒンジブラケット（３）をシートバック（ＳＢ）内から前方に突出してアームレスト（Ａ）を取付ける。
【００２２】
そして、この前方に突出したヒンジブラケット（３）を前記ガーニッシュ（２）を覆い、ガーニッシュ（２）の後部（２Ｂ）をトリムカバー（１）の弛み部（１０）内の前端縁（１０Ｂ）側の開口より、袋状の弛み部（１０）に収納する。
【００２３】
その際に、図２に示すように、トリムカバー（１）の弛み部（１０）の下端部（１０Ａ）をガーニッシュ（２）のフランジ(２１)内に収納して、ガーニッシュ（２）の挟持部（２１Ａ）で挟持すると共に、ガーニッシュ（２）の押圧部（２Ａ）でトリムカバー（１）の下部（１２）を押圧して、ガーニッシュ（２）をヒンジブラケット（３）に取付ける。
【００２４】
図中（２２）…は、ガーニッシュ（２）に一体成形して、ヒンジブラケット（３）に係止する係止部材、１２Ａはガーニッシュ（２）の押圧部（２Ａ）で押圧されるトリムカバー（１）の下部（１２）部分を示す。
【００２５】
【発明の効果】
本発明によれば、ガーニッシュの一部を収納するトリムカバーの弛み部に、縫製加工が不要になるし、縫目によるシートの外観品質の損傷を防止できる。しかも、挟持部によってトリムカバーの弛み部の一部を挟持するため、弛み部に皺、たるみが生じない。
加えて、トリムカバーの弛み部内にアームレストとガーニッシュを収納してガーニッシュなどを組付けるため、組付け性を向上させることができる。
【００２６】
また、ガーニッシュに押圧部を設けることにより、トリムカバーの弛み部における挟持された部分の近傍が押圧され、トリムカバーが所定形状に張設される。
【００２７】
更に、アームレストのヒンジブラケット用のガーニッシュの一部をトリムカバーの弛み部に収納することにより、ガーニッシュが保護され、後方からの衝撃等によってヒンジブラケットから脱落する虞れもないし、トリムカバーの一部がガーニッシュによって陰蔽されることがなく、トリムカバー全体が外部に露出するため、アームレスト付シートバックの側面の外観品質が向上する。
【図面の簡単な説明】
【図１】  本発明に係る構造の部分斜視図である。
【図２】  図１のIIーII線断面図である。
【図３】  ガーニッシュを取付ける前の状態の斜視図である。
【図４】  トリムカバーの裁断時の平面図である。
【図５】  トリムカバーの縫製時の平面図である。
【図６】  本発明に係る構造の自動車用シートの斜視図である。
【符号の説明】
１      トリムカバー
２      ガーニッシュ
３      取付部材たるヒンジブラケット
１０      トリムカバーの弛み部
２Ａ      ガーニッシュの押圧部
２１Ａ      ガーニッシュの挟持部
【図１】
0004101440.tif 000002
【図２】
0004101440.tif 000003
【図３】
0004101440.tif 000004
【図４】
0004101440.tif 000005
【図５】
0004101440.tif 000006
【図６】
0004101440.tif 000007